(57)【要約】【課題】待ち受け時に於いても端末の状態の確認が容易な無線携帯端末装置を提供する。【解決手段】無線携帯端末装置本体３において、ＬＣＤディスプレイ４とは別に、待ち受け時に、待ち受け状態であることを間欠的に所定の表示形態で表示するＬＥＤ（発光ダイオード）７を設け、待ち受け時の無線携帯端末装置の状態、例えば受信電界強度、電池の電圧または残存容量、あるいは待ち受け状態にあるサービスの種類に対応して、ＬＥＤ７の表示形態、例えば間欠表示周期等の時間ファクタ、または色、輝度等の視覚ファクタを変化させる。これにより、待ち受け時に於いても端末の状態の確認を容易に行うことができる。【選択図】  図１
2010158037.tif 000002
【特許請求の範囲】
【請求項１】
操作手段と、
第１の表示手段と、
前記第１の表示手段とは別に設けられた第２の表示手段と、
前記操作手段の操作後または待ち受け状態に移行後一定時間経過すると前記第１の表示手段の表示をオフすると共に、少なくとも前記第１の表示手段がオフである場合、第１の無線通信方式によって待受時には第１の表示形態で、前記第１の無線通信方式と異なる第２の無線通信方式によって待受時には前記第１の表示形態と異なる第２の表示形態で、前記第２の表示手段に表示させる制御手段とを備えたことを特徴とする無線携帯端末装置。
【請求項２】
前記第１の表示形態と、前記第２の表示形態とは、表示色が異なることを特徴とする請求項１に記載の無線携帯端末装置。
【請求項３】
前記第１の表示形態と、前記第２の表示形態とは、表示周期が異なることを特徴とする請求項１に記載の無線携帯端末装置。
【発明の詳細な説明】
【技術分野】
【０００１】
本発明はセルラー、ＰＨＳ、コ−ドレス電話などの無線携帯端末装置に関し、特にその待ち受け状態の表示方式に関するものである。
【背景技術】
【０００２】
従来この種装置は、例えば特許文献１に示されているように、無線携帯端末装置に設けられたＬＥＤ（発光ダイオード）で端末の状態を示すようになっている。図７は該特許の実施例で、送受話器１ａと電話機本体１ｂとからなるコ−ドレス電話機であって、本体１ｂ上にＬＥＤ２を設け、使用中（通話中）に低電圧警報と圏外警報を、このＬＥＤ２からなる一つの表示器で表示形態を変え、優先順位を付け選択的に表示したものである。
【０００３】
該特許によると、低電圧警報、圏外警報という使用者に通話が危いという情報を１つの表示器で（警報音とともに）表すことができる。しかし、近年小形化し、より携帯性の向上したコードレス電話やセルラー、ＰＨＳなど待ち受け時に圏外に出る可能性が高い機器の状態を待ち受け時に表示するのには向いていない。
【０００４】
これら小形の無線携帯端末装置にはＬＣＤが設けられ、待ち受け時の情報が表示されるようになってきた。図８はこのような無線携帯端末装置の一例で、無線携帯端末装置本体３のＬＣＤディスプレイ４上に、待ち受け時には常時電界強度を示す電界マ−ク５と電池残存容量を示す電池マ−ク６が表示され、利用者は待ち受け時にこれを見て確認できるようになっている。
【０００５】
ところが、近年さらに小形化が進み、待ち受け中にＬＣＤディスプレイ４を見ることが必ずしも容易でなくなった。例えば、ポケットの中に入れているときＬＣＤディスプレイ４を見ることが容易でなく、また、折りたたみ形でＬＣＤディスプレイ４が常時は見えないタイプも出現している。更に、ＬＣＤも小形であり、少し離れていると見えなかったり、ＬＣＤディスプレイ４のバックライトを省電力化するため、常時はオフとして、何らかのキー操作をしたときだけオンとして見えるようにしているため、確認が容易でなかった。
【先行技術文献】
【特許文献】
【０００６】
【特許文献１】特公平２−１９７７号公報
【発明の概要】
【発明が解決しようとする課題】
【０００７】
上述の如く、従来の装置では待ち受け時の端末の状態を確認するのが容易でなかった。そこで本発明はこの問題点を除去し、待ち受け時に於いても端末の状態の確認が容易な無線携帯端末装置を提供することを目的とする。
【課題を解決するための手段】
【０００８】
本発明の無線携帯端末装置は、操作手段と、第１の表示手段と、前記第１の表示手段とは別に設けられた第２の表示手段と、前記操作手段の操作後または待ち受け状態に移行後一定時間経過すると前記第１の表示手段の表示をオフすると共に、少なくとも前記第１の表示手段がオフである場合、第１の無線通信方式によって待受時には第１の表示形態で、前記第１の無線通信方式と異なる第２の無線通信方式によって待受時には前記第１の表示形態と異なる第２の表示形態で、前記第２の表示手段を表示させる制御手段とを備えたことを特徴とする。
【発明の効果】
【０００９】
本発明の無線携帯端末装置は、待ち受け時に於いても端末の状態の確認が容易である。
【図面の簡単な説明】
【００１０】
【図１】本発明の一実施形態の構成を示す外観図。
【図２】本発明の一実施形態の構成を示す機能ブロック図。
【図３】本発明の一実施形態の動作を説明するためのタイムチャート。
【図４】本発明の他の実施形態の構成を示す機能ブロック図。
【図５】本発明の他の実施形態の動作を説明するためのタイムチャート。
【図６】図３または図５に示すパルス波形の変形例を示す波形図。
【図７】従来例を示す外観図。
【図８】他の従来例を示す外観図。
【発明を実施するための形態】
【００１１】
以下、図面を参照して本発明の実施形態について詳細に説明する。なお、以下の図において、同符号は同一部分または対応部分を示す。図１は、本発明に係る無線携帯端末装置の一実施形態の構成を示す外観図であり、従来の無線携帯端末装置の構成に、ＬＥＤ（発光ダイオード）７を付加してある。なお、図１において、（ａ）は正面図、（ｂ）は側面図、（ｃ）は平面図である。
【００１２】
また、図２、及び図３は、それぞれこの実施形態の回路構成を示す機能ブロック図、及びその動作を説明するためのタイムチャートである。即ち、この実施形態の無線携帯端末装置は、図２に示すように、ＧＳＭ方式無線部（ＧＳＭ）８とそのアンテナ９、及びＤＣＳ１８００方式無線部（ＤＣＳ）１０とそのアンテナ１１を持つもので、２つの無線方式（周波数バンド）に対応したものである。
【００１３】
図示しない基地局からの電波はこれら無線部８、１０で復調され、復調された信号は信号処理部（ＳＩＧ）１２で音声信号に復号化され、受話器１８から音声として出力される。また送話器１４から入力された音声は信号処理部（ＳＩＧ）１２で符号化され、無線部８、１０とアンテナ９、１１を介して基地局に送信される。制御部（ＣＯＮＴ）１３は基地局との接続制御や端末の各種制御を行う。ＬＣＤディスプレイ４は制御部（ＣＯＮＴ）１３により表示を制御される。キー操作部１５は電話番号の入力や発信操作などの入力を制御部（ＣＯＮＴ）１３に対して行う。電池１６の出力は各部に供給され、電池電圧検出部（ＤＥＴ）１７で検出された電圧情報（または残存容量情報）は制御部（ＣＯＮＴ）１３に入力される。
【００１４】
受信電界はＬＣＤディスプレイ４上に電界マ−ク５として表示されるが、この実施形態において、これをＬＥＤ７に表示する場合について説明する。待ち受け時、無線部８、１０の出力から受信電界強度情報は信号処理部（ＳＩＧ）１２により求められ、制御部（ＣＯＮＴ）１３に入力される。制御部（ＣＯＮＴ）１３は、そのレベルを判断し、ＬＣＤディスプレイ４上のバーにより３段階表示している。このバーが２本または３本のとき、図３（ａ）のように、制御部（ＣＯＮＴ）１３はＬＥＤ７を駆動する。
【００１５】
ここで一例をあげると、ＧＳＭ方式やＤＣＳ１８００方式のようなディジタル方式の携帯電話の場合、間欠受信することにより、待ち受け時の平均消費電流は、無線部約２ｍＡ、制御部（ＣＯＮＴ）１３／信号処理部（ＳＩＧ）１２で約２ｍＡとすることができ、ＬＣＤディスプレイ４は約０．２ｍＡとなる。一方、ＬＥＤ７は視認性上、オン時には約５ｍＡ流す必要がある。
【００１６】
図３は、ＬＥＤ７を駆動する図２のラインＧの信号のタイムチャートを示し、電界バー２本および３本の時、同図（ａ）とし、ｔ１＝１００ｍｓ、Ｔ１＝２ｓとする。また電界バー０本および１本の時、同図（ｂ）とし、Ｔ２＝４ｓとする。
【００１７】
従って、図３（ａ）のときの待ち受け時総合平均消費電流ＩＡＶＥ（ａ）は、
ＩＡＶＥ（ａ）＝２ｍＡ＋２ｍＡ＋０．２ｍＡ＋０．１ｓ／２ｓ×５ｍＡ
＝４．４５ｍＡ
と、ＬＥＤ７を用いない場合と比べて、僅か０．２５ｍＡの増加で実現でき、図３（ｂ）のときの待ち受け時総合平均消費電流ＩＡＶＥ（ｂ）は、
ＩＡＶＥ（ｂ）＝２ｍＡ＋２ｍＡ＋０．２ｍＡ＋０．１ｓ／４ｓ×５ｍＡ
＝４．３２５ｍＡ
となり、０．１２５ｍＡしか増加しない。
【００１８】
ここで（ｂ）の場合に、周期を長く（即ち消費電流を少なく）したのは、受信電界が低いとき（即ち電界バーが少ないとき）、通話しようとすると送信出力が大きく制御され消費電流が大きくなるので、待ち受け時の消費を抑えたものである。
【００１９】
電池電圧情報はＬＣＤディスプレイ４上に電池マーク６として表示されるが、次にこれをＬＥＤ７に表示する場合について説明する。この場合も、受信電界情報を示さない場合は、電池電圧が高いとき、即ち電池バーが２または３のとき図３（ａ）で、電池バーが１または０のとき図３（ｂ）としてもよいが、両情報を同時に示すこともできる。即ち、受信電界と電池電圧がともに高い場合は図３（ａ）、受信電界が低く、電池電圧が高い場合は同図（ｂ）、受信電界が高く、電池電圧が低い場合は同図（ｃ）、受信電界と電池電圧がともに低い場合は同図（ｄ）とすることができる。（ｃ）の場合と（ｄ）の場合は、１回毎に、交互に、ＬＥＤ７に５ｍＡとその半分の２．５ｍＡをそれぞれ供給することにより輝度を変えたものである。
【００２０】
次に、図４は、２色発光ダイオード７´を使用した実施形態の場合の回路構成を示すものである。この場合、制御部（ＣＯＮＴ）１３は、例えば緑色を駆動するラインＧと赤色を駆動するラインＲを制御する。最も単純に制御すると、図３と同じようにしてＧＳＭ方式に赤、ＤＣＭ１８００方式に緑を配分すれば、現在端末がどちらのシステムで待ち受けしているかを表示することが同時にできる。
【００２１】
しかし、２色とすることでさらに分かりやすい表示が可能である。図５にその例を示す。同図（ａ）、（ｂ）は図３と同様であるが、ＧＳＭ方式の場合である。同図（ｄ）は、ＤＣＳ１８００方式の場合で、電界バーが多いときで２回に１回赤と緑をそれぞれ２．５ｍＡで駆動して、１回毎にオレンジ色（ラインＲとラインＧを同時に駆動したときはオレンジ色となる。）と緑色を出し、電界バーが少ないときは、図示しないが、この周期を（ｄ）の場合の倍にする。このように、１回毎にオレンジ色と緑色を交互に出すことによりＤＣＳ１８００方式であることが分かる。
【００２２】
この場合、同図（ａ）、（ｂ）とする代わりに、（ｅ）を電界バーが多いとき、（ｂ）を電界バーが少ないときとすることもできる。同図（ｆ）は、さらに変形した例で、（ａ）に対して輝度を下げるが、時間ｔ３＝０．２ｓとして低い輝度でも見易くしたものである。
【００２３】
なお、上述の説明で、ＧＳＭ方式の場合は緑色を、またＤＣＳ１８００方式の場合はオレンジ色と緑色を使用して表示する場合に、赤色は他の用途（例えば低電圧警告）に使用することができる。
【００２４】
図５のように、周期、時間、輝度、色などの組み合わせにより、電界、電池、システム（ネットワーク名）などＬＣＤディスプレイ４上に表示させている情報を直観的に知ることができる。これらの表示形態はさらに任意に変形できることは明らかである。例えば、電流さえ許せば、（ｅ）の２回点灯の代わりに３回点灯でも構わないし、（ｆ）のｔ３＝０．２ｓの代わりにｔ３＝０．３ｓとしてもよいし、組み合わせは自由である。更に、図３または図５に示すラインＧとラインＲの各パルス波形を、図６（ａ）〜（ｃ）に示すように時間的に変化する波形のものとし、輝度を変化させてもよい。
【００２５】
また、ユーザーにより、どの場合にどの表示形態をとるかを選択設定することも、一般に行われているメニュー選択により実施できるし、消費電流（図３（ａ）の例で０．２５ｍＡ）を節約するため、周期Ｔ１をメニュー選択で設定できるようにしてもよい。
【００２６】
さらに、通常はＬＥＤ７または２色発光ダイオード７´で凡その状態が把握できることから、制御部（ＣＯＮＴ）１３内の図示しないタイマーにより、キー操作部１５の操作後あるいは待ち受け状態に移行後、一定時間でＬＣＤディスプレイ４をオフ、または低消費電力モードに制御すればよい。この場合ＬＣＤディスプレイ４で消費する０．２ｍＡを削減できるので、消費電流の増加はないといえる。
【００２７】
ここでいう低消費電力モードとは、例えば、一部の固定ピクトグラム（例えば図１のアンテナのマーク）だけ点灯して他は消しておくものや、ＬＣＤディスプレイ４も間欠的に点灯するものである。
【００２８】
以上に説明したＬＥＤ７または２色発光ダイオード７´は上述の動作に限定されて使用されるものではない。即ち上述の動作に加えて、着信時にはベル音の周期に連動して緑を点灯させ、電池が低電圧となり、充電を必要としたときは、赤を連続点灯させ低電圧警報とすることができる。
【００２９】
また、上述の実施形態では、一つのＬＥＤ（２色発光ダイオードの場合も含む）の場合を示したが複数のＬＥＤを用いても構わない。ただし、目的からして１つのＬＥＤで表示するのが最も経済的である。
【００３０】
更に、上述の実施形態では、表示形態を変化させることにより、即ち色を変化させることにより、待受け時の状態として、ＧＳＭ方式とＤＣＳ１８００方式との別を認知することができることとしたが、これに限らず、例えば、表示形態を変化させることにより、待受け時の状態として、音声サービスとデータサービスとの別、更には、データサービスにおける、インターネットの受信、電子メールの受信、予約サービスの回答待ちなどの別を認知することができるようにしてもよい。
【符号の説明】
【００３１】
１ａ…送受話器
１ｂ…電話機本体
２、７…ＬＥＤ（発光ダイオード）
３…無線携帯端末装置本体
４…ＬＣＤディスプレイ
５…電界マーク
６…電池マーク
７´…２色発光ダイオード
８…ＧＳＭ方式無線部（ＧＳＭ）
９、１１…アンテナ
１０…ＤＣＳ１８００方式無線部（ＤＣＳ）
１２…信号処理部（ＳＩＧ）
１３…制御部（ＣＯＮＴ）
１４…送話器
１５…キー操作部
１６…電池
１７…電池電圧検出部（ＤＥＴ）
１８…受話器
【図１】
2010158037.tif 000003
【図２】
2010158037.tif 000004
【図３】
2010158037.tif 000005
【図４】
2010158037.tif 000006
【図５】
2010158037.tif 000007
【図６】
2010158037.tif 000008
【図７】
2010158037.tif 000009
【図８】
2010158037.tif 000010